(57)【要約】【課題】本発明は、クレジットカードや出入管理カード等の他人による不正使用を防止する認証システム関する。【解決手段】認証媒体に付されたＲＦタグの検知状況に基づいて、前記ＲＦタグの識別コードを送信する監視端末と、前記ＲＦタグの識別コードを前記監視端末から通信網を介して受信する監視センタと、前記認証媒体に記憶された認証情報を読み取って認証を行う認証センタとからなる認証システムを有し、監視端末は、監視対象のＲＦタグの識別コードを受信できない場合に監視センタに受信不能のＲＦタグの識別コードを通報し、監視センタは、監視端末から検知不能のＲＦタグの識別コードを受信すると、対応する認証媒体の識別情報を読み出して仮のロスト情報として前記認証センタに通知し、認証センタは、前記監視センタから前記仮のロスト情報を受信すると、当該認証媒体を認証する条件を変更する。【選択図】  図１
2008165659.tif 000002
【特許請求の範囲】
【請求項１】
認証媒体に付されたＲＦタグの検知状況に基づいて、前記ＲＦタグの識別コードを送信する監視端末と、前記ＲＦタグの識別コードを前記監視端末から通信網を介して受信する監視センタと、前記認証媒体に記憶された認証情報を読み取って認証を行う認証センタとからなる認証システムにおいて、
前記監視端末は、ＲＦタグの識別コードを記憶する記憶手段と、前記ＲＦタグから識別コードを受信するＲＦリーダ部と、前記監視対象のＲＦタグの識別コードを受信できない場合に前記監視センタに受信不能のＲＦタグの識別コードを通報する通報手段を有し、
前記監視センタは、前記ＲＦタグの識別コードと前記認証媒体の識別情報を対応付けて記憶した媒体情報記憶手段と、前記監視端末から検知不能のＲＦタグの識別コードを受信すると、前記記憶手段から対応する認証媒体の識別情報を読み出して仮のロスト情報として前記認証センタに通知する通知手段を有し、
前記認証センタは、前記監視センタから前記仮のロスト情報を受信すると、当該認証媒体を認証する条件を変更することを特徴とした照合システム。
【請求項２】
前記認証センタは、暗証コードを照合する暗証コード照合手段を備えて、前記監視センタから仮のロスト情報を受信すると、前記認証媒体に記憶された認証情報の照合に加えて暗証番号の照合を行なうことを特徴とした請求項１記載の照合システム。
【発明の詳細な説明】
【技術分野】
【０００１】
本発明は、クレジットカードや出入管理カード等の他人による不正使用を防止する認証システム関する。
【背景技術】
【０００２】
建物の出入管理システムやセキュリティシステムの資格認証、キャッシュカードやクレジットカードの個人認証のためにＩＣカードが広く普及し利用されている。
【０００３】
従来、個人認証のためのＩＣカードには識別コードが記憶されており、カードリーダにてこの識別コードを読み取り、照合することで個人認証が行なわれる。
このＩＣカードが盗難や紛失などで第三者の手に渡った場合には、不正に使用されてしまう可能性があるので、管理機関等に連絡をして当該ＩＣカードの使用を停止してもらうようにする必要がある。
【０００４】
そこで、従来より、例えば特許文献１には、忘れ物や盗難による所持品の遺失を未然に防止したり報知するために、ユーザの所持品に付加され且つ識別情報を有する無線タグと、該無線タグとの交信を行う無線通信機構とを備え、無線通信機構は、無線タグから識別情報を取得し該取得した識別情報を記録するＩＤ記録部と、無線タグへ識別情報の問い合わせを行い、該問い合わせに対する無線タグからの応答の有無を判定する応答判定部と、該応答判定部により無線タグからの応答がないことが検知されたとき、その旨をユーザに報知する報知部を有する所持品遺失防止方法およびシステムが提案されている。
【０００５】
また、特許文献２には、紛失したり盗難に遭ったときに、紛失や盗難を管理会社あるいは管理機関に連絡して無効化している間に使用される危険を防ぐために、ＲＦＩＤタグ装置において、ＲＦＩＤタグを分割することでＲＦＩＤタグの所有者が別々のところにＲＦタグを保持して、１枚のＲＦＩＤタグを盗まれたり、紛失したときにおいて第三者が使用したとしても、セキュリティーシステムの質問器に応答することが出来ない構成として個人の認証を拒否するＲＦＩＤタグ装置が提案されている。
上記のＲＦＩＤタグ装置では、質問器１からの信号に第１ＲＦＩＤタグ２と第２ＲＦＩＤタグ３で応答する構成として、質問器１からの信号１ａに含まれているＩＤを第２ＲＦＩＤタグ３が確認して、第２ＲＦＩＤタグ３に応答手段でＩＤを確認し、前記ＩＤが確認できたらだ１ＲＦＩＤタグが質問器１に応答信号２ｓで信号を送信して、質問器１が信号２ａのＩＤを確認して認証する。
【特許文献１】特開２００６−４２５７号公報
【特許文献２】特開２００１−２８３１７１号公報
【発明の開示】
【発明が解決しようとする課題】
【０００６】
しかしながら、特許文献１、２いずれのシステムでも、所持品とは別に携行するべきＲＦタグや無線通信装置を携行し忘れた場合には、その機能を発揮できず、盗難や忘れ物を検知できなかったり、所持品を利用不可となる問題がある。
【０００７】
本発明は、所有者が携行所持するＩＣカードなどの認証媒体にＲＦタグを付して、盗難や忘れ物などの遺失を検知した場合にはその認証媒体の使用を制限することができる認証システムを提供することにある。
【課題を解決するための手段】
【０００８】
かかる目的を達成するため、本発明の認証システムは、認証媒体に付されたＲＦタグの検知状況に基づいて、前記ＲＦタグの識別コードを送信する監視端末と、前記ＲＦタグの識別コードを前記監視端末から通信網を介して受信する監視センタと、前記認証媒体に記憶された認証情報を読み取って認証を行う認証センタとからなる認証システムにおいて、
前記監視端末は、ＲＦタグの識別コードを記憶する記憶手段と、前記ＲＦタグから識別コードを受信するＲＦリーダ部と、前記監視対象のＲＦタグの識別コードを受信できない場合に前記監視センタに受信不能のＲＦタグの識別コードを通報する通報手段を有し、
前記監視センタは、前記ＲＦタグの識別コードと前記認証媒体の識別情報を対応付けて記憶したカード情報記憶手段と、前記監視端末から検知不能のＲＦタグの識別コードを受信すると、前記記憶手段から対応する認証媒体の識別情報を読み出して仮のロスト情報として前記認証センタに通知する通知手段を有し、
前記認証センタは、前記監視センタから前記仮のロスト情報を受信すると、当該認証媒体を認証する条件を変更する。
【０００９】
本発明によれば、認証媒体が所有者が所持する監視端末より離れた場合には、第三者による使用の可能性があるので、当該認証媒体について認証条件を変更することができる。
【００１０】
また、本発明の好適な態様では、認証センタは、暗証コードを照合する暗証コード照合手段を備えて、監視センタから仮のロスト情報を受信すると、認証カードに記憶された認証情報の照合に加えて暗証番号の照合を行なう。
【００１１】
かかる構成によれば、監視端末を所持し忘れても、所有者本人は暗証コードを入力して照合することにより、認証媒体を使用することができ、暗証コードを知らない第三者の認証媒体の使用を防止することが可能となる。
【発明の効果】
【００１２】
本発明によれば、認証媒体が監視端末から離れて持ち出された場合には、認証センタによる認証条件を厳しくすることで、正当な所有者の認証媒体の使用を可能としつつ第三者による不正使用を防止することができる。
【発明を実施するための最良の形態】
【００１３】
以下、本発明の実施例について図を用いて説明する。
図１は、認証システムの構成を示す。
【００１４】
認証システムは、使用者が所持するＩＣカード等である認証媒体８、例えば、銀行のＣＤ・ＡＴＭや出入管理システムのカードリーダ等の読取装置６、通信網９を介して読取装置６と接続している認証センタ７、認証媒体８に貼付されるＲＦタグ３、認証媒体８の紛失を検知して認証センタ７に通知する監視センタ１、無線信号にて基地局４を介して監視センタ１と接続し、認証媒体８に貼付されたＲＦタグ３と無線にて交信する監視端末２より構成されている。
監視センタ１は認証センタ７と通信網５を介して接続されている。
【００１５】
図１の認証システムの概略の動作を説明する。
監視端末２は、所定の時間間隔で継続して周囲のＲＦタグ３と更新し、識別コードを取得する。
監視端末２は、ＲＦタグ３と更新できなくなると、基地局４、通信網５を介して監視センタ１に通報する。
監視センタ１は、監視端末２より通報を受信すると、ＲＦタグ３が貼付された認証媒体８が、監視端末２の近くより離れたものとして認証媒体８について仮のロスト登録の連絡を認証センタ７に対して行う。
認証センタ７は認証媒体８の認証の条件を変更するように設定する。
【００１６】
図２を用いて監視端末２の構成を説明する。
監視端末２は、制御部２１、無線通信部２２、記憶部２３、電源部２４、ＲＦリーダ２５から構成される。
無線通信部２２は、送信部２６、受信部２７、アンテナ２８を含み、基地局４及び通信網５を介して、監視センタ１と通信を行う。
【００１７】
記憶部２３には、ＲＦタグ情報記憶領域２９が設けられる。
ＲＦリーダ２５は、監視端末２の周囲にあるＲＦタグ３と交信して、ＲＦタグ３の識別コードを読み取る。
電源部２４は、電池により構成され、監視端末２に電力を供給する。
【００１８】
制御部２１は、ＣＰＵにより構成され、プログラムに従って、通信制御手段２１１、結果記憶手段２１２、ＲＦＩＤ処理手段２１３として機能する。
通信制御手段２１１は、無線通信部２２と制御部２１との間の信号入出力制御を行う。
【００１９】
ＲＦＩＤ処理手段２１３は、ＲＦタグ３から受信した信号を処理してＩＤ情報としてＲＦタグ情報記憶領域２９に記憶する。
【００２０】
図３を用いて監視センタ１の構成を説明する。
監視センタ１は、通信部１１、通信制御部１２、記憶部１３、制御部１４から構成される。
通信部１１は通信網５と接続される。通信制御部１２は、通信部１１と制御部１４との間及び、通信部１１と記憶部１３との間の信号入出力制御を行う。
【００２１】
記憶部１３には、ＲＦタグデータベース（ＤＢ）１５が設けられる。
ＲＦタグデータベース（ＤＢ）１５には、ＲＦタグ３の識別コードと、ＲＦタグ３が付された認証媒体８の識別情報、認証媒体８の所有者情報、認証媒体８が使用される認証センタ７の情報等が紐付けられて記憶されている。
【００２２】
図４のフローチャートを用いて、監視端末２の動作を説明する。
ステップ１で、動作モードを監視モードに設定する。動作モードには、監視モードの他にＲＦタグ３を登録するための登録モードや監視を停止する停止モード等がある。
ステップ２で、ＲＦリーダ２５を起動して、ＲＦタグ３の検知が行なわれる。
ＲＦＩＤ処理手段２１３はＲＦリーダ２５を起動する。ＲＦリーダ２５は、例えば周囲１ｍに存在するＲＦタグ３と交信する。
ここで、ＲＦＩＤ処理手段２１３はＲＦリーダ２５により予め監視対象として登録されたＲＦタグ３のＩＤ情報を受信できれば（ステップ２：ＹＥＳ）、ステップ５に進む。
【００２３】
登録したＲＦタグ３を検知できないときには（ステップ２：ＮＯ）、ステップ３に進み、検知できなかったＲＦタグ３の識別コードを検知不能ＲＦタグ情報として記憶部２３に記憶する。
そして、ステップ４に進み、制御部２１は、検知不能のＲＦタグ３の識別コードを無線通信部２７により基地局４及び通信網５を介して監視センタ１に送信する。
【００２４】
次に、一時的に監視端末２より離れていたＲＦタグ３が、再び監視端末２の近くに戻ってきた場合の動作を説明する。
ステップ２にてＲＦタグ３のＩＤ情報を受信できれば（ステップ２：ＹＥＳ）、ステップ５にて、その検知したＲＦタグ３の識別コードが記憶部２３に記憶した検知不能ＲＦタグの識別コードであるか否かを判定する。
ここで、検知不能ＲＦタグではない場合（ステップ５：ＮＯ）にはステップ２に戻ってＲＦタグ３の検知を継続する。
【００２５】
ステップ２にて受信したＲＦタグ３の識別コードが記憶部２３に記憶した検知不能ＲＦタグであった場合には、（ステップ５：ＹＥＳ）にはステップ６に進み、検知できたＲＦタグ３の識別コードについて、ステップ３で記憶部２３に記憶した検知不能ＲＦタグ識別コードから削除する。そして、ステップ７に進み、制御部２１は、検知したＲＦタグ３の識別コードを無線通信部２２により基地局４及び通信網５を介して監視センタ１に送信する。
【００２６】
次に、図５及び図６のフローチャートを参照して、監視センタ１の動作を説明する。
監視センタ１では、通信部１１にて、通信網５を介して監視端末２より検知不能ＲＦタグの識別コードを受信する。（ステップ２１）
制御部１４は、受信したＲＦタグの識別コードから、記憶部１３のＲＦタグデータベース（ＤＢ）のＲＦタグ３の識別コードと紐付けられた認証媒体８の識別情報、所有者情報、管理機関の情報を読み出す。（ステップ２２）
制御部１４は、通信制御部１２より通信網５を介して、認証センタ７へ当該認証媒体８の識別情報、所有者情報からなる仮ロスト情報を送信する。（ステップ２３）
【００２７】
又、監視センタ１では、通信部１１にて、通信網５を介して監視端末２より既に仮ロスト登録されているＲＦタグの検知情報を受信する。（ステップ３１）
制御部１４は、受信したＲＦタグ情報から、記憶部１３のＲＦタグデータベース（ＤＢ）のＲＦタグ３の識別コードと紐付けられた認証媒体８の識別情報、所有者情報、管理機関の情報を読み出す。（ステップ３２）
制御部１４は、通信制御部１２より通信網５を介して、認証センタ７へ当該認証媒体８の識別情報、所有者情報からなる仮ロスト解除情報を送信する。（ステップ２３）
【００２８】
次に、図７のフローチャートを参照して、認証センタ７の動作を説明する。
認証センタ７では、監視センタ１より、認証媒体８の仮ロスト情報を受信すると（ステップ４１）、当該認証媒体８について仮のロスト登録を行なう。（ステップ４２）
認証センタ７では、仮のロスト登録がされた当該認証媒体８については、それを使用して認証する場合の条件を付加するように変更する。
【００２９】
例えば、常時は、認証媒体８を読取装置６であるカードリーダに翳すことにより認証媒体８に記録されている認証コードを読み取り、予め登録されている認証コードと一致していれば認証Ｏ．Ｋ．とするが、仮のロスト登録がされた場合には、認証媒体８に記録されている認証コードの照合に加えて、操作者に暗証コードを入力させて予め登録した暗証コードと照合するようにする。
【００３０】
以上のとおり、認証媒体８が監視端末２より離れた場合には、第三者による使用の可能性があるが、自動的に当該認証媒体８について仮のロスト登録をすることができるので、第三者の不正使用を防止することができる。
又、正当な所有者にが仮のロスト登録がされた認証媒体を使用する場合には、認証媒体８による認証以外の認証条件を付加することにより、多少操作は付加されるが認証媒体８を使用することができる。
【００３１】
仮のロスト登録がされた認証媒体８について、認証媒体８に付されたＲＦタグ３が監視端末２にて再び検知できれば、認証媒体８が所有者本人の手元に戻ってきたものとして、仮のロスト登録を解除する。
【図面の簡単な説明】
【００３２】
【図１】本発明の認証システムの構成を示す図である。
【図２】図１の監視端末の構成を示すブロック図である。
【図３】図１の監視センタの構成を示すブロック図である。
【図４】図２の監視端末の動作を示すフローチャートである。
【図５】図３の監視センタの動作を示すフローチャートである。
【図６】図３の監視センタの動作を示すフローチャートである。
【図７】図１の認証センタの動作を示すフローチャートである。
【符号の説明】
【００３３】
１…監視センタ
２…監視端末
３…ＲＦタグ
４…基地局
５…通信網
６…読取装置
７…認証センタ
８…ＲＦタグ
９…認証媒体
１１…無線通信部
１２…通信制御部
１３…記憶部
１４…制御部
１５…ＲＦタグＤＢ
１６…アンテナ
２１…制御部
２２…無線通信部
２３…記憶部
２４…電源部
２５…ＲＦリーダ
２６…送信部
２７…受信部
２８…アンテナ
【図１】
2008165659.tif 000003
【図２】
2008165659.tif 000004
【図３】
2008165659.tif 000005
【図４】
2008165659.tif 000006
【図５】
2008165659.tif 000007
【図６】
2008165659.tif 000008
【図７】
2008165659.tif 000009